(57)【特許請求の範囲】
【請求項１】
引戸の一方の框に装着される台座と、この台座の表面側に回動自在に支承され、外周に形成された円弧状の環堤部を相手方の框の係止片に係合させるようにした錠止盤とを有するものにおいて、台座の裏面側に複数の細長い板ばねの基端を固定し、各板ばねの自由端にドライバーピンを植設して、各ドライバーピンを台座に開口した第１ピン孔を通して台座の表面側に突出できるように案内し、一方、施錠時第１ピン孔群と整合する錠止盤の部位にこれらと同じ展開パターンで第２ピン孔群を開口させ、錠止盤の表面側において第２ピン孔群を覆うように装着されたカップ状のピンカバー内に、第２ピン孔と同軸に、かつ錠止盤の厚さ方向に移動可能に案内されたタンブラーピンの複数を配設し、他方、ピンカバーの頂面に第１及び第２ピン孔群と同じ展開パターンで開口した第３ピン孔群の夫々に、鍵板を介して一体的に結合された鍵ピンを着脱可能に挿通させ、鍵板をピンカバーに装着しないときにはドライバーピンがシアーラインとなる台座と錠止盤との接合面に跨がるように、また、鍵板をピンカバーに装着したときタンブラーピンとドライバーピンとの接合部がシアーラインに合致するように各ピンの長さを設定したことを特徴とするクレセント錠。
【発明の詳細な説明】
【０００１】
【発明の属する技術分野】
この発明は、クレセント錠に係り、特に、簡単な構成で施錠機能を有する新規なクレセント錠に関する。
【０００２】
【従来の技術】
クレセント錠は、相互に引き違いとなる引戸の召し合わせ部に装着される一種の掛金装置であって、通常施錠機能を有していない。
【０００３】
【発明が解決しようとする課題】
その為、例えば引戸のクレセント錠付近のガラスを破り、その破れたガラス戸の開口から手を差し入れてクレセント錠を操作すれば引戸を簡単に開けることができ、これを悪意の第三者が行えば防犯上問題であることは言う迄もない。
【０００４】
しかしながら、クレセント錠に所謂シリンダ錠を装着してクレセント錠に施錠機能を付与することは可能であるが、この場合構造が複雑になること、及び使い勝手が悪いことが容易に想像される。
【０００５】
そこで、この発明は、施錠機構を内蔵しながら構造が簡単でしかも使い勝手が良い新規なクレセント錠を提供することを目的としている。
【０００６】
【課題を解決するための手段】
上記の目的を達成するため、この発明は、引戸の一方の框に装着される台座と、この台座の表面側に回動自在に支承され、外周に形成された円弧状の環堤部を相手方の框の係止片に係合させるようにした錠止盤とを有するものにおいて、台座の裏面側に複数の細長い板ばねの基端を固定し、各板ばねの自由端にドライバーピンを植設して、各ドライバーピンを台座に開口した第１ピン孔を通して台座の表面側に突出できるように案内し、一方、施錠時第１ピン孔群と整合する錠止盤の部位にこれらと同じ展開パターンで第２ピン孔群を開口させ、錠止盤の表面側において第２ピン孔群を覆うように装着されたカップ状のピンカバー内に、第２ピン孔と同軸に、かつ錠止盤の厚さ方向に移動可能に案内されたタンブラーピンの複数を配設し、他方、ピンカバーの頂面に第１及び第２ピン孔群と同じ展開パターンで開口した第３ピン孔群の夫々に、鍵板を介して一体的に結合された鍵ピンを着脱可能に挿通させ、鍵板をピンカバーに装着しないときにはドライバーピンがシアーラインとなる台座と錠止盤との接合面に跨がるように、また、鍵板をピンカバーに装着したときタンブラーピンとドライバーピンとの接合部がシアーラインに合致するように各ピンの長さを設定したことを特徴とする。
【０００７】
【実施例】
以下、図面に示す実施例に基づいてこの発明について説明する。
図１及び図２において符号１は台座を示し、図示の実施例における台座１は一面が開口した浅くて細長い矩形の箱状体で、その開口縁を図示しない引戸の框に向けてねじ止めされている。
【０００８】
この台座１の表面側には、フランジ付の支軸２によって、錠止盤３が回動自在に支承されている。図示の実施例では、図２に示すように、この支軸２はバーリングにより台座の中央部に形成された支持筒部４と回動可能に嵌合しており、支軸２の内端部には抜け止めのためＥリング５が嵌着されている。
【０００９】
この錠止盤３の外周部には、支軸２と同心の円弧状の環堤部６及び操作摘み７が一体に形成されており、この操作摘み７を手指で操作して環堤部６を相手方の引戸の框に装着された図示しない係止片に係合させる。
【００１０】
なお、上記したクレセント錠の基本的な構成は周知であり、この発明の要旨でもないので、更に詳細な説明は省略する。
【００１１】
上記台座１の裏面側には複数（図示の実施例では３枚）の細長い板ばね８、８の基端が固定され、各板ばね８の自由端は図２に示すように台座の裏面から離間する方向に弾性変形可能に案内されている。
【００１２】
図示の実施例では、３枚の板ばね８、８は基端部を一体に連結されて全体として略Ｅ字形に成形されている。なお、図３において符号９はこの板ばねを台座１の裏面に固定するねじが挿通されるねじ孔である。
【００１３】
上記各板ばね８の自由端の台座１側には、図２及び図３に示すように、ドライバーピン１１が例えばかしめによって植設されている。
【００１４】
このドライバーピン１１は、例えば第６図に示すように、台座１に開口した第１ピン孔１２を挿通して、台座１の表面側に突出できるように案内されている。
【００１５】
なお、図２に示すように、板ばね８が弾性変形するときにはドライバーピン１１が板ばねの長さ方向に傾くから、上記第１ピン孔１２は円形孔ではなく、板ばねの長さ方向に少し長くした長円形とするのがよい（図示せず）。
【００１６】
一方、施錠時第１ピン孔群と整合する錠止盤３の部位に、これらと同じ展開パターン（図示の実施例では直線状の展開パターン：図３参照）で第２ピン孔群１３、１３が開口している（図５参照）。
【００１７】
これら第２ピン孔群１３、１３を覆うように、錠止盤３の表面側に断面が細長い矩形のカップ状のピンカバー１４が装着されている。
【００１８】
図示の実施例では、カップ状のピンカバーの開口を錠止盤３の表面に向け、開口端縁に一体に形成されたフランジ１４ａ、１４ａを例えばスポット溶接することにより錠止盤に装着している。
【００１９】
なお、図示の実施例では台座１及び錠止盤３を板材のプレス加工により製造するものとしたのでピンカバー１４を錠止盤３とは別の部材としたが、錠止盤３を鋳造や射出成形により製造するときには、錠止盤３とピンカバー１４とを一体に形成することができる。
【００２０】
このときには、第２ピン孔群１３、１３を開口させた部材を錠止盤３の裏面の開口に填め込むものとする（図示せず）。
【００２１】
上記ピンカバー１４内には、第２ピン孔１３と同軸に、かつ錠止盤３の厚さ方向（図５及び図６で上下方向）に移動可能に案内されたタンブラーピン１５の複数（図示の実施例では第２ピン孔１３と同数の３本）を配設する。
【００２２】
図示の実施例では、これらタンブラーピン１５、１５の支持案内のため、板材を折曲げて構成したピンガイド１６をピンカバー１４内に収納している。
【００２３】
このピンガイド１６は、図４に示すように、中央のコ字形部を形成する一対の棚板１６ａ、１６ａにタンブラーピン１５が摺動可能に嵌合可能な３対のピン孔（付番せず）を形成し、このコ字形部の左右の延長部を直角に折曲げた袖板１６ｂ、１６ｂの下端を内側に折曲げた取付片１６ｃ、１６ｃを錠止盤３の表面にねじ止めする。
【００２４】
なお、図５において、符号５は各タンブラーピンがピンガイド１６から抜け出ることを防止するためタンブラーピン１５に嵌着されたＥリングである。
【００２５】
他方、ピンカバー１４の頂面に第１及び第２ピン孔群と同じ展開パターンで開口した第３ピン孔群１７、１７（図６参照）の夫々に、図７に示すように鍵板１８を介して一体的に結合された鍵ピン１９、１９を、図５に示すように着脱可能に挿通させる。
【００２６】
この場合、鍵板１８の取付角度位置を一義的に定めるため、図５に示すように、真ん中を覗く他の鍵ピン１９及び第３ピン孔１７を他のものより大径にするとよい。
【００２７】
図示の実施例では、鍵板１８を永久磁石板とすると共に、ピンカバー１４を磁性板で構成し、これらの間に作用する磁気吸引力を利用して鍵板１８を装着する。
【００２８】
なお、鍵板１８の装着には必ずしも磁気吸引力を用いる必要はなく、例えば鍵板を薄くしてその側端縁を延長すると共にこれら延長された側端縁によりピンカバー１４を弾性的に掴持する、等の装着方法を採ることができる。
【００２９】
そして、図５に示すように鍵板１８をピンカバー１４に装着したとき、ドライバーピン１１とタンブラーピン１５との接合部が台座１と錠止盤３との接合面、すなわちシアーラインＳに揃うように、ドライバーピン１１、タンブラーピン１５、及び鍵ピン１９の長さが設定されている。
【００３０】
上記各部材はピンシリンダー錠に均等な錠前を構成し、この場合台座１はピンシリンダ錠の外筒に、板ばね８はタンブラーばねに、錠止盤３及びピンカバー１４は内筒に、タンブラーピン１５はタンブラーピンに、鍵ピン１９は合鍵の鍵溝に夫々対応する。
【００３１】
そして、鍵板１８の着脱は、ピンシリンダ錠の内筒の鍵孔に対する合鍵の抜き挿しに対応する。
【００３２】
なお、図１において符号２１はストッパーを示し、このストッパー２１の錠止盤３の施錠角度位置を規定するものであるが、この発明の成立に必須の構成ではない。
【００３３】
上記のように構成されたこの発明の一実施例によるクレセント錠は、図５に示すようにピンカバー１４に鍵板１８を装着した常態ではドライバーピン１１とタンブラーピン１５の接合部がシアーラインＳに揃うので、操作摘み７を手指で操作することにより錠止盤３を自由に回動操作することができる。
【００３４】
換言すれば、この発明による施錠機能付のクレセント錠の施錠機構が解除され、通常のクレセント錠と同様に用いることができる。
【００３５】
一方、長い間外出する場合、或いは旅行する場合には、錠止盤３を施錠角度位置においた状態で鍵板１８をピンカバーから外し、或いは施錠角度位置以外の角度位置において鍵板１８をピンカバー１４から外した後錠止盤３を図１に示す施錠角度位置に置く。
【００３６】
すると、図６に示すように、板ばね８の弾力によって各ドライバーピン１１が各タンブラーピン１５を押上げ、ドライバーピン１１が対応する第１及び第２ピン孔１２、１３を共通に挿通し、ドライバーピン１１がシアーラインＳに跨がる。
【００３７】
この状態では、錠止盤３を回すことはできず、従ってクレセント錠を操作できる大きさの穴をガラス戸に開け手を差し入れて操作摘みを回そうとしても、引戸を開けることができない。
【００３８】
ちなみに、外出や旅行に先立ってピンカバー１４から外した鍵板を出先にまで帯行する必要はなく、ガラス戸に開けた穴から手を差し入れても届かない場所に置けばよい。
【００３９】
【発明の効果】
以上の説明から明らかなように、この発明は、台座の裏面側に複数の細長い板ばねの基端を固定し、各板ばねの自由端にドライバーピンを植設して、各ドライバーピンを台座に開口した第１ピン孔を通して台座の表面側に突出できるように案内し、一方、施錠時第１ピン孔群と整合する錠止盤の部位にこれらと同じ展開パターンで第２ピン孔群を開口させ、錠止盤の表面側において第２ピン孔群を覆うように装着されたカップ状のピンカバー内に、第２ピン孔と同軸に、かつ錠止盤の厚さ方向に移動可能に案内されたタンブラーピンの複数を配設し、他方、ピンカバーの頂面に第１及び第２ピン孔群と同じ展開パターンで開口した第３ピン孔群の夫々に、鍵板を介して一体的に結合された鍵ピンを着脱可能に挿通させ、要するに台座と錠止盤とを夫々外筒及び内筒とするピンタンブラー錠を構成したので、錠止盤を施錠角度位置に置いて鍵板を外せば錠止盤はロックされ、従ってクレセント錠の防犯性が格段に向上する、という効果を奏する。
【図面の簡単な説明】
【図１】この発明の一実施例によるクレセント錠の一部断面正面図。
【図２】その一部断面側面図。
【図３】板ばねの平面図。
【図４】ピンガイドの外観斜視図。
【図５】図１のＶ−Ｖ線による横断面図で、鍵板が装着されて解錠された状態を示す。
【図６】図１のＶＩ−ＶＩ線による横断面図で、鍵板が外されてクレセント錠が施錠された状態を示す。
【図７】鍵板の外観斜視図。
【符号の説明】
１  台座
２  支軸
３  錠止盤
６  環堤部
８  板ばね
１１  ドライバーピン
１２  第１ピン孔
１３  第２ピン孔
１４  ピンカバー
１５  タンブラーピン
１６  ピンガイド
１７  第３ピン孔
１８  鍵板
１９  鍵ピン
【図１】
0004190097.tif 000002
【図２】
0004190097.tif 000003
【図３】
0004190097.tif 000004
【図４】
0004190097.tif 000005
【図５】
0004190097.tif 000006
【図６】
0004190097.tif 000007
【図７】
0004190097.tif 000008